(57)【要約】【課題】運転者の異変をより確実に解消することができる運転支援装置、運転支援システム、および運転支援方法を提供すること。【解決手段】実施形態の一態様に係る運転支援装置は、検知部と、提案部とを備える。検知部は、運転者の異変を検知する。提案部は、検知部によって異変が検知された場合に、異変を解消する特性の走行経路を運転者へ提案し、その特性の走行経路を走行しても異変が解消されない場合に、先に提案した走行経路の特性とは異なる特性の走行経路を運転者へ提案する。提案部は、所定の仮説に基づいて異変を解消する走行経路を提案し、走行経路を走行しても異変が解消されない場合に、別の仮説に基づいて異変が解消する走行経路を提案する。【選択図】図１
2019105886.tif 000002
【特許請求の範囲】
【請求項１】
運転者の異変を検知する検知部と、
前記検知部によって前記異変が検知された場合に、前記異変を解消する特性の走行経路を前記運転者へ提案し、前記特性の走行経路を走行しても前記異変が解消されない場合に、前記走行経路の特性とは異なる特性の走行経路を前記運転者へ提案する提案部と
を備えることを特徴とする運転支援装置。
【請求項２】
前記提案部は、
所定の仮説に基づいて前記異変を解消する特性の走行経路を提案し、前記走行経路を走行しても前記異変が解消されない場合に、前記仮説とは別の仮説に基づいて前記異変が解消する特性の走行経路を提案する
ことを特徴とする請求項１に記載の運転支援装置。
【請求項３】
前記仮説と当該仮説の正解度とが対応付けられる情報を記憶する記憶部と、
前記記憶部に記憶された正解度を、当該正解度に対応付けられた前記仮説に基づく特性の走行経路を走行した場合の前記異変の解消結果に応じて増減する正解度増減部と
を有し、
前記提案部は、
前記正解度に応じた優先順位で選択する前記仮説に基づく特性の走行経路を提案する
ことを特徴とする請求項２に記載の運転支援装置。
【請求項４】
前記異変の兆候状態を検知する兆候状態検知部と、
前記兆候状態検知部の検出結果に基づき、前記異変と当該異変の兆候緩和傾向がある走行経路の特性との関係を仮説として推定する仮説推定部と、
前記仮説推定部によって推定される仮説を前記提案部が提案する走行経路の選択に使用する前記仮説の候補として登録する仮説登録部と
を備えることを特徴とする請求項３に記載の運転支援装置。
【請求項５】
前記仮説登録部は、
前記正解度が所定値を下回った場合、当該正解度に対応付けられた前記仮説を前記仮説の候補から除外する
ことを特徴とする請求項４に記載の運転支援装置。
【請求項６】
運転者の異変を検知する検知部を備える車載装置と、
前記車載装置から前記異変が検知されたことを示す検知情報を取得した場合に、前記異変を解消する特性の走行経路を前記運転者へ提案し、前記特性の走行経路を走行しても前記異変が解消されない場合に、前記走行経路の特性とは異なる特性の走行経路を前記運転者へ提案するサーバ装置と
を備えることを特徴とする運転支援システム。
【請求項７】
運転者の異変を検知する検知工程と、
前記検知工程によって前記異変が検知された場合に、前記異変を解消する特性の走行経路を前記運転者へ提案し、前記特性の走行経路を走行しても前記異変が解消されない場合に、前記走行経路の特性とは異なる特性の走行経路を前記運転者へ提案する提案工程と
を含むことを特徴とする運転支援方法。
【発明の詳細な説明】
【技術分野】
【０００１】
開示の実施形態は、運転支援装置、運転支援システム、および運転支援方法に関する。
【背景技術】
【０００２】
従来、車両を運転中の運転者の状態を監視し、運転者の異変を検知した場合に、異変を解消する走行経路を運転者へ提案することによって、運転を支援する装置がある（例えば、特許文献１参照）。
【先行技術文献】
【特許文献】
【０００３】
【特許文献１】特開２０１６−１８２２４２号公報
【発明の概要】
【発明が解決しようとする課題】
【０００４】
しかしながら、従来の運転を支援する装置は、運転者の異変を解消する走行経路を一方的に運転者へ提案するに過ぎず、これでは運転者の異変を解消できないことがある。実施形態の一態様は、上記に鑑みてなされたものであって、運転者の異変をより確実に解消することができる運転支援装置、運転支援システム、および運転支援方法を提供することを目的とする。
【課題を解決するための手段】
【０００５】
実施形態の一態様に係る運転支援装置は、検知部と、提案部とを備える。検知部は、運転者の異変を検知する。提案部は、前記検知部によって前記異変が検知された場合に、前記異変を解消する特性の走行経路を前記運転者へ提案し、前記特性の走行経路を走行しても前記異変が解消されない場合に、前記走行経路の特性とは異なる特性の走行経路を前記運転者へ提案する。
【発明の効果】
【０００６】
実施形態の一態様に係る運転支援装置、運転支援システム、および運転支援方法は、運転者の異変をより確実に解消することができる。
【図面の簡単な説明】
【０００７】
【図１】図１は、実施形態に係る運転支援装置の構成の一例を示す説明図である。
【図２】図２は、実施形態に係る異変判定項目情報の一例を示す説明図である。
【図３】図３は、実施形態に係る提案用仮説候補情報の一例を示す説明図である。
【図４】図４は、実施形態に係る運転支援装置の動作の一例を示す説明図である。
【図５】図５は、実施形態に係る道路特性情報の一例を示す説明図である。
【図６】図６は、実施形態に係る運転支援装置の制御部が実行する処理の一例を示すフローチャートである。
【図７】図７は、実施形態に係る運転支援システムの説明図である。
【図８】図８は、実施形態に係る運転支援システムにおける道路特性情報の一例を示す説明図である。
【図９】図９は、実施形態に係る運転支援システムにおける道路特性情報の変形例を示す説明図である。
【発明を実施するための形態】
【０００８】
以下、添付図面を参照して、本願の開示する運転支援装置、運転支援システム、および運転支援方法の実施形態を詳細に説明する。なお、以下に示す実施形態によりこの発明が限定されるものではない。
【０００９】
実施形態に係る運転支援装置は、現在地から設定される目的地までの走行経路を案内するカーナビゲーション機能を備え、走行経路案内中に運転者の状態を監視し、運転者の異変を検知した場合に、異変を解消する可能性のある特性の走行経路を運転者に提案する。
【００１０】
そして、運転支援装置は、提案した特性の走行経路を走行しても運転者の異変が解消されない場合に、先に提案した走行経路の特性とは異なる特性の走行経路を運転者へ提案する。これにより、運転支援装置は、運転者の異変をより確実に解消することができる。
【００１１】
以下では、まず、図１〜図６を参照して、実施形態に係る運転支援装置の構成および動作について説明するが、運転支援装置が行う走行経路の提案等は、例えば、車載装置と所定の通信ネットワークによって通信可能なサーバ装置が行ってもよい。かかるサーバ装置と車載装置とを含む運転支援システムについては、図７〜図９を参照して後述する。
【００１２】
図１は、実施形態に係る運転支援装置１の構成の一例を示す説明図である。図１に示すように、運転支援装置１は、カメラ３１，４１、サーモグラフィ３２，４２、操作表示部３３、スピーカ３４、およびハンドルセンサ４３に接続される。
【００１３】
カメラ３１，４１は、車室内に設けられて運転者を撮像し、撮像画像の情報を運転支援装置１へ出力する。サーモグラフィ３２，４２は、車室内に設けられて運転者の体の温度分布を検知し、検知結果を示す情報を運転支援装置１へ出力する。ハンドルセンサ４３は、運転者によるハンドルの回転操作量を検知し、検知結果を運転支援装置１へ出力する。
【００１４】
操作表示部３３は、タッチパネル機能を備えた画像表示装置であり、ユーザによるタッチ操作を受け付ける機能の他、カーナビゲーション機能の設定画面や、設定された目的地までの走行経路を案内する地図画像を表示する機能等を備える。スピーカ３４は、例えば、運転支援装置１から入力される走行経路を案内する音声等を出力する。
【００１５】
運転支援装置１は、制御部１０と、記憶部２０とを備える。制御部１０は、例えば、ＣＰＵ（Central  Processing  Unit）、ＲＯＭ（Read  Only  Memory）、ＲＡＭ（Random  Access  Memory）、入出力ポートなどを有するマイクロコンピュータや各種の回路を含む。
【００１６】
制御部１０は、ＣＰＵがＲＯＭに記憶されたプログラムを、ＲＡＭを作業領域として使用して実行することにより機能する複数の処理部を備える。例えば、制御部１０は、検知部１１、提案部１２、道路特性判定部１３、正解度増減部１４、兆候状態検知部１５、仮説推定部１６、および仮説登録部１７を備える。
【００１７】
なお、制御部１０が備える複数の処理部は、一部または全部がＡＳＩＣ（Application  Specific  Integrated  Circuit）やＦＰＧＡ（Field  Programmable  Gate  Array）等のハードウェアで構成されてもよい。
【００１８】
記憶部２０は、例えば、ＲＡＭやフラッシュメモリ等の記憶装置であり、異変判定項目情報２１、地図情報２２、提案用仮説候補情報２３、道路特性情報２４、および登録用仮説候補情報２５を記憶する。異変判定項目情報２１については、図２を参照して後述する。地図情報２２は、全国の道路地図の情報である。
【００１９】
また、提案用仮説候補情報２３については、図３を参照して後述し、登録用仮説候補情報２５については、仮説登録部１７の説明と合わせて説明する。道路特性情報２４については、図５を参照して後述する。
【００２０】
検知部１１は、カメラ３１およびサーモグラフィ３２から入力される情報と、記憶部２０に記憶された異変判定項目情報２１とに基づいて運転者の状態を監視し、運転者の異変を検知した場合に、その旨を示す情報を提案部１２へ出力する。また、検知部１１は、運転者の異変が解消したことを検知した場合には、その旨を示す情報を提案部１２へ出力する。
【００２１】
ここで、図２を参照し、異変判定項目情報２１の一例について説明する。図２は、実施形態に係る異変判定項目情報２１の一例を示す説明図である。図２に示すように、異変判定項目情報２１は、運転者の異変の種別と、異変の内容と、センシング項目とが対応付けられた情報である。
【００２２】
図２に示す例では、「Ａ」という種別には、「眠気」という異変の内容と、「瞼開口度、眼球運動」というセンシング項目とが対応付けられている。また、「Ｂ」という種別には、「居眠り」という異変の内容と、「瞼開口度、頭部運動」というセンシング項目とが対応付けられている。
【００２３】
また、「Ｃ」という種別には、「脇見」という異変の内容と、「視線方向」というセンシング項目とが対応付けられている。また、「Ｄ」という種別には、「前方不注意」という異変の内容と、「視線方向、眼球運動」というセンシング項目とが対応付けられている。また、「Ｅ」という種別には、「発熱」という異変の内容と、「体温」というセンシング項目とが対応付けられている。
【００２４】
検知部１１は、運転者が運転席に着座している期間に、例えば、「Ａ」、「Ｂ」、「Ｃ」、「Ｄ」、「Ｅ」の種別の順に、カメラ３１およびサーモグラフィ３２から入力される情報に基づいて、運転者の異変を検知する処理を繰り返し実行する。
【００２５】
例えば、検知部１１は、カメラ３１から入力される情報に基づいて、運転者の瞼の開口度が所定時間継続して平常時の開口度を下回り、且つ眼球の動きが所定時間継続して停止する場合に、運転者が眠気に襲われていると判定して異変を検知する。
【００２６】
その後、検知部１１は、運転者の瞼の開口度が所定時間継続して平常時の開口度となり、且つ眼球が周囲に注意を払う動きを再開する場合に、運転者の眠気が解消したことを検知する。
【００２７】
また、検知部１１は、かかる眠気のセンシングが完了した場合に、居眠りのセンシングを行う。例えば、検知部１１は、運転者の瞼の開口度が所定時間継続して平常時の開口度を下回り、且つ運転者が周期的に項垂れる姿勢をとる場合に、運転者が居眠り状態になると判定して異変を検知する。
【００２８】
その後、検知部１１は、運転者の瞼の開口度が所定時間継続して平常時の開口度となり、且つ運転者が頭を擡げた状態を所定時間継続する場合に、運転者の居眠りが解消したことを検知する。
【００２９】
また、検知部１１は、かかる居眠りのセンシングが完了した場合に、脇見のセンシングを行う。例えば、検知部１１は、運転者の視線方向が所定時間継続して自車両の進行方向から逸れる場合に、運転者が脇見をしていると判定して異変を検知する。その後、検知部１１は、運転者が視線方向を自車両の進行方向に戻した場合に、脇見が解消したことを検知する。
【００３０】
また、検知部１１は、かかる脇見のセンシングが完了した場合に、前方不注意のセンシングを行う。例えば、検知部１１は、運転者の視線方向が所定時間継続して自車両の進行方向から逸れ、且つ眼球の動きが所定時間継続して停止する場合に、運転者が前方不注意の状態であると判定して異変を検知する。その後、検知部１１は、運転者が視線方向を自車両の進行方向に戻した場合に、前方不注意が解消したことを検知する。
【００３１】
また、検知部１１は、かかる前方不注意のセンシングが完了した場合に、体温のセンシングを行う。例えば、検知部１１は、サーモグラフィ３２から入力される情報に基づいて、運転者の体温が平熱を超える場合に、運転者が発熱していると判定して異変を検知する。その後、検知部１１は、運転者の体温が平熱に戻れば、発熱が解消したことを検知する。
【００３２】
その後、検知部１１は、運転者の眠気、居眠り、脇見、前方不注意、および発熱のセンシングを順次繰り返す。なお、ここでは、検知部１１が運転者の眠気、居眠り、脇見、前方不注意、および発熱のセンシングを順次繰り返すこととしたが、検知部１１は、運転者の眠気、居眠り、脇見、前方不注意、および発熱のセンシングを並行して常時行う構成であってもよい。
【００３３】
図１へ戻り、検知部１１は、運転者の異変を検知した場合に、その旨を示す情報を提案部１２へ出力する。また、検知部１１は、運転者の異変が解消したことを検知した場合には、その旨を示す情報を提案部１２へ出力する。
【００３４】
提案部１２は、例えば、操作表示部３３から車両の行先となる目的地の設定が行われたことを示す信号が入力された場合に、地図情報２２に基づいて現在地から目的地までの走行経路を検索する。
【００３５】
そして、提案部１２は、自車両周辺の地図画像に検索した走行経路を重畳させた案内画像を操作表示部３３へ出力して表示させることによって走行経路を案内する。さらに、提案部１２は、走行経路を案内する音声情報をスピーカ３４から出力させる。
【００３６】
また、提案部１２は、当初検索した走行経路を自車両が走行中に、運転者の異変が検知されたことを示す情報が検知部１１から入力されると、運転者の異変を解消する可能性のある特性の走行経路を検索して運転者へ提案する。
【００３７】
かかる提案部１２は、運転者の異変の種別毎に、各異変を解消する複数種類の仮説を含む提案用仮説候補情報２３を記憶部２０に記憶しており、これらの仮説に基づいて運転者の異変を解消する可能性のある特性の走行経路を運転者へ提案する。このとき、提案部１２は、後に詳述する道路特性情報２４を参照し、運転者の異変を解消できる可能性が高い走行経路を選択して運転者に提案する。
【００３８】
その後、提案部１２は、提案した走行経路を走行しても、運転者の異変が解消されない場合に、異変が解消されなかった走行経路を提案した根拠となった仮説とは別の仮説に基づいて運転者の異変を解消する可能性のある別の特性の走行経路を運転者へ再度提案する。これにより、提案部１２は、より確実に運転者の異変を解消することができる。
【００３９】
ここで、図３を参照して提案用仮説候補情報２３の一例について説明し、図４を参照して検知部１１、提案部１２、および正解度増減部１４の動作の一例について説明する。図３は、実施形態に係る提案用仮説候補情報２３の一例を示す説明図である。図４は、実施形態に係る運転支援装置１の動作の一例を示す説明図である。
【００４０】
図３に示すように、提案用仮説候補情報２３は、異変の種別と、異変が解消される仮説と、仮説の正解度とが対応付けられた情報である。図３に示す例では、種別Ａ（眠気）に対して３つの仮説が対応付けられている。
【００４１】
１つめの仮説は、「ワインディングロードの走行により眠気が解消する」という仮説であり、正解度が「９０」である。２つ目の仮説は、「道幅が狭い道路の走行により眠気が解消する」という仮説であり、正解度が「７５」である。３つ目の仮説は、「走行経験の少ない道路の走行により眠気が解消する」という仮説であり、正解度が「５０」である。
【００４２】
また、種別Ｂ（居眠り）に対しては、２つの仮説が対応付けられている。１つ目の仮説は、「景色が頻繁に変化する道路の走行により居眠りが解消する」という仮説であり、正解度が「８０」である。２つ目の仮説は、「縦揺れが大きな道路の走行により居眠りが解消する」という仮説であり、正解度が「７５」である。
【００４３】
なお、ここでは図示を省略しているが、提案用仮説候補情報２３では、種別Ｃ（脇見）、種別Ｄ（前方不注意）、および種別Ｅ（発熱）に対しても、それぞれ複数の仮説と、仮説の正解度とが対応付けられる。
【００４４】
提案部１２は、検知部１１によって運転者の異変が検知された場合に、提案用仮説候補情報２３を参照し、正解度に応じた優先順位で選択する仮説に基づく特性の走行経路を提案する。
【００４５】
例えば、提案部１２は、提案用仮説候補情報２３において、検知部１１によって検知された異変の種別に対応付けられた仮説のうち正解度が最高の仮説を選択する。そして、提案部１２は、選択した仮説に基づき、異変を解消する可能性がある特性の走行経路を選択して運転者へ提案する。
【００４６】
その後、提案部１２は、提案した走行経路を車両が走行した場合の異変の解消結果を検知部１１から取得し、正解度増減部１４へ出力する。例えば、提案部１２は、今回の走行経路を提案した根拠となった仮説と、提案した走行経路を走行したことによって異変が解消したか否かを示す情報とを正解度増減部１４へ出力する。
【００４７】
正解度増減部１４は、記憶部２０に記憶された提案用仮説候補情報２３における正解度を、その正解度に対応付けられた仮説に基づく特性の走行経路を走行した場合の異変の解消結果に応じて増減する。
【００４８】
例えば、正解度増減部１４は、異変が解消された場合、提案部１２から入力される仮説の提案用仮説候補情報２３における正解度に「５」を加算し、異変が解消されなかった場合に、正解度から「１０」を減算する。正解度の値は、例えば、初期値を「５０」、最大値を「１００」、最小値を「０」とする。
【００４９】
これにより、提案用仮説候補情報２３で各仮説に対応付けられる正解度は、各仮説に基づいて選択された特性の走行経路の走行による異変の解消結果に応じて、その都度、更新される。
【００５０】
なお、異変が解消された場合に、正解度増減部１４が正解度に加算する値、および異変が解消されなかった場合に、正解度増減部１４が正解度から減算する値は、それぞれ個別に任意の値を設定することが可能である。
【００５１】
このように、正解度に加算する値、および正解度から減算する値を個別に可変とすることにより、提案部１２が選択する仮説の優先順位の入れ替え感度を任意に設定することができる。
【００５２】
提案部１２は、異変が検知されたときに正解度が最高の仮説に基づく特性の走行経路をその都度提案する。これにより、運転支援装置１は、的確に運転者の異変を解消することができる。
【００５３】
例えば、図４に示すように、運転支援装置１は、は、自車両Ｖがカーナビゲーション機能によって当初に検索された走行経路Ｒ１を走行中に、運転者の眠気を検知した場合、提案用仮説候補情報２３を参照する。
【００５４】
このとき、運転支援装置１は、図３に示す提案用仮説候補情報２３が記憶されている場合、種別Ａ（眠気）に対応付けられた複数の仮説のうち、正解度が「９０」で最高の１つ目の仮説に基づき、ワインディングロードＲ２を提案する（ステップＳ１１）。
【００５５】
これにより、運転者は運転支援装置１の提案に従う場合、ワインディングロードＲ２を走行する。その後、運転支援装置１は、眠気解消に失敗した場合、図３で種別Ａ（眠気）に対応付けられた１つ目の仮説の正解度を減少させて「８０」とする。運転支援装置１は、次に、この時点で正解度が最高である１つ目の仮説に基づき、ワインディングロードＲ２を提案する（ステップＳ１２）。
【００５６】
その後、運転支援装置１は、眠気解消に失敗した場合、１つ目の仮説の正解度をさらに減少させて「７０」とする。その結果、図３で種別Ａ（眠気）に対応付けられた２つ目の仮説の正解度「７５」が最高になり、正解度が最高の仮説が逆転する（ステップＳ１３）。
【００５７】
かかる場合、運転支援装置１は、この時点で正解度が最高である図３で種別Ａ（眠気）に対応付けられた２つ目の仮説に基づき、道幅が狭い道路Ｒ３を提案する（ステップＳ１４）。
【００５８】
その後、運転支援装置１は、道幅が狭い道路Ｒ３の走行により眠気解消に成功した場合、図３で種別Ａ（眠気）に対応付けられた２つ目の仮説の正解度を増大させて「８０」とする（ステップＳ１５）。そして、運転支援装置１は、当初の走行経路Ｒ１へ案内する（ステップＳ１６）。
【００５９】
このように、運転支援装置１は、運転者の異変を検知した場合に、提案用仮説候補情報２３を参照し、提案用仮説候補情報２３の中で正解度が最高の仮説、つまり、検知した異変を解消する可能性が最大の仮説を選択する。
【００６０】
そして、運転支援装置１は、選択した仮説に基づく特性の走行経路を提案する。例えば、運転支援装置１は、上記したように、運転者の眠気を検知した場合、走行経路としてワインディングロードＲ２を提案することにより、カーブの走行で運転者に作用する遠心力によって眠気の解消を試みる。
【００６１】
その結果、運転支援装置１は、運転者の異変解消に成功した場合、今回選択した仮説の正解度を増大させる。一方、運転支援装置１は、異変解消に失敗した場合には、今回選択した仮説の正解度を減少させる。
【００６２】
このように、運転支援装置１は、運転者や運転中の状況毎に異なる異変の解消に有効な仮説の傾向に応じて、提案用仮説候補情報２３における仮説の正解度を動的に変更する。そして、運転支援装置１は、異変解消に失敗した場合には、仮説の正解度が更新された提案用仮説候補情報２３を再度参照する。
【００６３】
このとき、運転支援装置１は、前回選択した仮説の正解度が今回も依然として最高である場合には、今回も前回と同じ仮説に基づく特性の走行経路を再度提案する。また、運転支援装置１は、前回選択した仮説の正解度が更新により最高でなくなった場合、その時点で正解度が最高の仮説、つまり、前回選択した仮説とは異なり現時点で異変を解消する可能性が最大の仮説を選択し、その仮説に基づく特性の走行経路を提案する。
【００６４】
例えば、運転支援装置１は、眠気を解消させる特性（例えば、「カーブ走行時に遠心力が作用する特性」）に関する仮説では眠気が解消されない場合、この特性とは異なる特性（例えば、走行中に、「上下運動を伴う特性」、「景色が頻繁に変化する特性」、図３に示す例では、「道幅が狭く運転者に圧迫感を与える特性」）に関する仮説により走行経路を提案する。これにより、運転支援装置１は、次回以降に運転者の異変を検知した場合に、高い確率で運転者の異変を解消することができる。
【００６５】
また、運転支援装置１は、１トリップの期間内で異変を解消できなかった仮説については、正解度が最高点でも選択対象から除外する構成であってもよい。ただし、運転支援装置１は、次回以降のトリップでは、前回のトリップで選択対象から除外した仮説も選択対象とする。
【００６６】
これにより、運転支援装置１は、いつもであれば異変の解消に効果的な仮説であっても、ある日の１トリップの走行では例外的に異変が解消しないような場合に、そのトリップに限り異変が解消しなかった仮説を選択の対象外とすることができる。
【００６７】
また、運転支援装置１は、今回の１トリップの走行で異変が解消せず、選択対象外とした仮説であっても、いつもであれば異変の解消に効果的な仮説については、次回以降のトリップで選択対象となるので、次回以降に異変を解消できる確率を高めることができる。
【００６８】
なお、かかる構成の場合、運転支援装置１は、ナビゲーション機能によって目的地が設定されてから、目的地へ到着するまでの期間を１トリップの期間と判定する。また、運転支援装置１は、車両のエンジンが長期間オフとなった場合に、１トリップの走行が終了したと判定する。また、運転支援装置１は、車両のエンジンが短期間オフとなった場合には、休憩の可能性があるため、１トリップの走行が終了したとは判定しない。
【００６９】
図１へ戻り、提案部１２は、運転者の異変を解消する走行経路を運転者へ提案した場合、そのときの運転者の異変を示す種別と、提案した走行経路を示す情報と、走行経路を提案して運転者の異変が解消したか否かを示す情報とを道路特性判定部１３へ出力する。
【００７０】
道路特性判定部１３は、提案部１２から入力される情報に基づいて、道路特性情報２４の作成および更新を行う。ここで、図５を参照し、道路特性情報２４の一例について説明する。図５は、実施形態に係る道路特性情報２４の一例を示す説明図である。
【００７１】
図５に示すように、道路特性情報２４は、運転者に生じる異変の種別毎に、リンクＮｏ．、距離・時間、基本指数、特性１、および特性２等が対応付けられた情報である。リンクＮｏ．は、全国の道路を所定距離、分岐点、交差点等で分割した各道路区間のそれぞれに割り当てられた各区間固有の識別番号である。また、距離・時間は、各道路区間の距離、および、各道路区間を法定速度で走行する場合に要する走行時間である。
【００７２】
基本指数は、各道路区間を車両で走行することによって運転者の異変が解消される難易度である。つまり、基本指数は、値が大きいほど、対応するリンクＮｏ．が割り当てられた道路区間を走行しても、対応付けられた種別の異変が解消され難いことを示す。基本指数は、初期値として、例えば、「２．０」が設定され、道路特性判定部１３によって「１．０」〜「３．０」の範囲で値が変更される。
【００７３】
特性１および特性２等は、各仮説において走行経路に要求される特性の程度の高さを示す値であり、「０」〜「０．８」の範囲で仮説毎に設定される。以下、特性１および特性２等を総称する場合には、「特性補正値」と記載する。かかる特性補正値は、対応付けられる仮説において走行経路に要求される特性の程度が高いほど大きな値となる。
【００７４】
例えば、特性１は、「ワインディングロードの走行により眠気が解消する」という仮説に対応付けられている場合、カーブの数が多く、カーブの曲率半径が小さい走行経路ほど値が大きくなる。また、例えば、特性２は、「道幅が狭い道路の走行により眠気が解消する」という仮説が対応付けられている場合、道幅が狭い走行経路ほど値が大きくなる。
【００７５】
道路特性判定部１３は、提案部１２から入力される情報に基づいて、道路特性情報２４における基本指数を更新する。例えば、道路特性判定部１３は、図５に示す道路特性情報２４の上から２番目のリンクＮｏ．が割り当てられた道路を自車両Ｖが走行した結果、運転者の眠気が解消しなかった場合、基本指数の初期値「２．０」に「０．１」を加算して「２．１」に更新する。
【００７６】
また、道路特性判定部１３は、図５に示す道路特性情報２４の上から３番目のリンクＮｏ．が割り当てられた道路を自車両Ｖが走行した結果、運転者の眠気が解消した場合、基本指数の初期値「２．０」から「０．１」を減算して「１．９」に更新する。そして、提案部１２は、運転者の異変が検知された場合に、かかる道路特性情報２４に基づいて選択した走行経路を提案する。
【００７７】
図１へ戻り、提案部１２の説明を続ける。提案部１２は、運転者の異変を解消する可能性のある走行経路を提案する場合に、地図情報２２を参照し、異変を解消する仮説に基づいて複数の走行経路を検索する。
【００７８】
このとき、提案部１２は、道路特性情報２４を参照し、今回選択した仮説が対応付けられた特性補正値と基本指数とに基づいて補正指数を算出する。提案部１２は、下記式（１）によって補正指数を算出する。
（補正指数）＝（基本指数）―（特性補正値）・・・・（１）
【００７９】
なお、前述したように、基本指数は、「１．０」〜「３．０」までの値であり、特性補正値は、「０」〜「０．８」までの値である。このため、基本指数は、最小値である「１．０」から特性補正値の最大値である「０．８」を差し引いても「０．２」となり、「０」以下となることはない。
【００８０】
そして、提案部１２は、算出した補正指数が最小の走行経路を運転者へ提案する。これにより、運転支援装置１は、今回選択した仮説において走行経路に要求される特性の程度が最大の走行経路を選択することができるので、運転者の異変を解消する可能性がより高い走行経路を提案することができる。
【００８１】
次に、兆候状態検知部１５、仮説推定部１６、仮説登録部１７、および登録用仮説候補情報２５について説明する。前述したように、提案部１２は、運転者の異変が検知された場合に、提案用仮説候補情報２３から正解度が最高の仮説を選択し、その仮説に基づく特性の走行経路を提案する。
【００８２】
このため、提案用仮説候補情報２３に含まれる各仮説は異変の解消に大きく影響する。提案用仮説候補情報２３に含まれる各仮説は、高い確率で異変解消に成功することができれば、変更の必要はないが、運転者によって異変の解消に有効な仮説の傾向が異なるため、運転者の傾向に応じて変更することが望ましい。
【００８３】
そこで、運転支援装置１は、兆候状態検知部１５、仮説推定部１６、および仮説登録部１７を備え、登録用仮説候補情報２５を記憶する。兆候状態検知部１５は、異変の兆候状態を検知する。仮説推定部１６は、兆候状態検知部１５の検出結果に基づき、異変と異変の兆候緩和傾向がある走行経路の特性との関係を仮説として推定する。
【００８４】
そして、仮説登録部１７は、仮説推定部１６によって推定される仮説のうち、異変の解消に有効な新たな仮説を提案部１２が提案する走行経路の選択に使用する仮説の候補として提案用仮説候補情報２３へ登録する。また、仮説登録部１７は、異変の解消に有効でなくなった仮説を提案用仮説候補情報２３から削除する。
【００８５】
具体的には、兆候状態検知部１５は、カメラ４１、サーモグラフィ４２、およびハンドルセンサ４３から入力される情報に基づいて、運転者に起こる異変の兆候状態を検知する。このとき、兆候状態検知部１５は、図２に示す異変判定項目情報２１を参照し、異変判定項目情報２１に含まれる全ての種別の異変について、異変の兆候状態を検知する。
【００８６】
なお、兆候状態検知部１５は、検知部１１によって異変の検知に使用されるカメラ３１およびサーモグラフィ３２から運転者の情報を取得して、異変の兆候状態を検知する構成であってもよい。つまり、検知部１１および兆候状態検知部１５は、カメラ３１とサーモグラフィ３２を共用する構成であってもよい。かかる構成の場合、カメラ４１およびサーモグラフィ４２は不要となる。
【００８７】
ここでの異変の兆候状態とは、検知部１１によって異変とまでは判定されないが、異変が起こる予兆がある状態である。兆候状態検知部１５は、例えば、検知部１１による異変検知の判定基準を緩和した判定基準に基づき、異変の兆候の有無を判定するとともに、兆候の程度についても判定する。
【００８８】
そして、兆候状態検知部１５は、異変の兆候を検知した場合に、兆候を検知した異変の種別、および兆候状態の程度を示す情報を仮説推定部１６へ出力する。また、兆候状態検知部１５は、異変の兆候を検知しない場合には、その旨を示す情報を仮説推定部１６へ出力する。
【００８９】
仮説推定部１６は、兆候状態検知部１５から入力される情報と、操作表示部３３から取得する現在走行中の道路の特性を示す情報とに基づいて、異変と異変の兆候緩和傾向がある走行経路の特性との関係を仮説として推定する。かかる、仮説推定部１６は、走行中の運転者に異変の兆候が現れない特性の道路、あるいは、異変の兆候が緩和される特性の道路に基づいて、異変を解消する仮説を推定する。
【００９０】
例えば、仮説推定部１６は、信号機が多く設置される道路の走行中に、運転者に脇見の兆候が現れない場合、「信号機が多く設置される道路の走行により脇見が解消する」という仮説を推定する。また、例えば、スクールゾーンの走行中に、運転者の前方不注意の兆候が緩和される場合、「スクールゾーンの走行により前方不注意が解消する」という仮説を推定する。
【００９１】
そして、仮説推定部１６は、提案用仮説候補情報２３と同様に、異変の種別と、推定した仮説と、仮説の確からしさを示す正解度とを対応付け、登録用仮説候補情報２５として記憶部２０に記憶させる。その後、仮説推定部１６は、兆候状態検知部１５から順次入力される情報に基づいて、正解度増減部１４と同様に、登録用仮説候補情報２５における正解度を増減させて更新する。
【００９２】
仮説登録部１７は、登録用仮説候補情報２５を参照し、登録用仮説候補情報２５に含まれる仮説のうち、ある程度の確からしさとなった仮説を提案部１２が提案する走行経路の選択に使用する仮説の候補として提案用仮説候補情報２３に登録する。例えば、仮説登録部１７は、登録用仮説候補情報２５で正解度が「５０」に達した仮説を提案用仮説候補情報２３に登録する。
【００９３】
また、仮説登録部１７は、提案用仮説候補情報２３を参照し、提案用仮説候補情報２３に含まれる仮説のうち、正解度が所定値（例えば、「２０」）を下回った仮説を提案用仮説候補情報２３から除外する。
【００９４】
なお、仮説登録部１７は、提案用仮説候補情報２３から除外した仮説を登録用仮説候補情報２５に登録し、正解度が「５０」に達した場合に、再度、提案用仮説候補情報２３に登録することもできる。
【００９５】
これにより、運転支援装置１は、運転者によって異なる異変の解消に有効な仮説の傾向に応じた異変を解消することができる可能性が高い仮説が登録された提案用仮説候補情報２３を生成することができる。
【００９６】
したがって、運転支援装置１は、運転者の異変を検知した場合に、かかる提案用仮説候補情報２３から選択した仮説に基づく特性の走行経路を提案することによって、より高い確率で運転者の異変を解消することができる。
【００９７】
次に、図６を参照し、実施形態に係る運転支援装置１の制御部１０が実行する処理の一例について説明する。図６は、実施形態に係る運転支援装置１の制御部１０が実行する処理の一例を示すフローチャートである。
【００９８】
制御部１０は、運転者が自車両Ｖの運転席に着座している間、図６に示す処理を繰り返し実行する。具体的には、図６に示すように、制御部１０は、まず、種別Ａの異変をセンシングする（ステップＳ１０１）。
【００９９】
そして、制御部１０は、運転者の異変を検知したか否かを判定する（ステップＳ１０２）。制御部１０は、異変を検知しない場合（ステップＳ１０２，Ｎｏ）、処理をステップＳ１０９へ移す。また、制御部１０は、異変を検知したと判定した場合（ステップＳ１０２，Ｙｅｓ）、正解度が最高の仮説を選択する（ステップＳ１０３）。
【０１００】
そして、制御部１０は、ステップＳ１０３で選択した仮説に適合し、補正指数が最小の走行経路を提案する（ステップＳ１０４）。その後、制御部１０は、異変の解消に成功したか否かを判定する（ステップＳ１０５）。
【０１０１】
そして、制御部１０は、異変の解消に成功しなかった（失敗した）と判定した場合（ステップＳ１０５，Ｎｏ）、ステップＳ１０３で選択した仮説の正解度を減少させる（ステップＳ１１０）。続いて、制御部１０は、道路特性情報２４を更新し（ステップＳ１１１）、処理をステップＳ１０３へ移す。
【０１０２】
また、制御部１０は、異変の解消に成功したと判定した場合（ステップＳ１０５，Ｙｅｓ）、ステップＳ１０３で選択した仮説の正解度を増大させる（ステップＳ１０６）。続いて、制御部１０は、道路特性情報２４を更新し（ステップＳ１０７）、全種別の異変のセンシングが完了したか否かを判定する（ステップＳ１０８）。
【０１０３】
そして、制御部１０は、全種別の異変のセンシングが完了していないと判定した場合（ステップＳ１０８，Ｎｏ）、次の種別の異変をセンシングして（ステップＳ１０９）、処理をステップＳ１０２へ移す。また、制御部１０は、全種別の異変のセンシングが完了したと判定した場合（ステップＳ１０８，Ｙｅｓ）、処理を終了し、再度ステップＳ１０１から処理を開始する。
【０１０４】
なお、これまで運転支援装置１が運転者の異変を検知した場合に、異変を解消する可能性のある走行経路を運転者へ提案する場合について説明したが、車載装置と所定の通信ネットワークによって通信可能なサーバ装置が運転支援装置１に代わって走行経路を提案してもよい。
【０１０５】
次に、図７〜図９を参照し、サーバ装置が車両の運転者へ運転経路を提案する運転支援システムについて説明する。図７は、実施形態に係る運転支援システム１００の説明図である。図８は、実施形態に係る運転支援システム１００における道路特性情報の一例を示す説明図である。図９は、実施形態に係る運転支援システム１００における道路特性情報の変形例を示す説明図である。
【０１０６】
図７に示すように、運転支援システム１００は、例えば、インターネット等の通信ネットワークＮを介して複数の車両Ｃ１〜Ｃｎと通信可能に接続されるサーバ装置１０１を備える。各車両Ｃ１〜Ｃｎは、カーナビゲーション機能を備える。
【０１０７】
また、各車両Ｃ１〜Ｃｎは、図１に示すものと同様のカメラ３１、サーモグラフィ３２、および検知部１１を備える。さらに、各車両Ｃ１〜Ｃｎは、図１に示すものと同様の異変判定項目情報２１を記憶している。
【０１０８】
各車両Ｃ１〜Ｃｎの検知部１１は、運転支援装置１と同様に、カメラ３１およびサーモグラフィ３２から入力される情報に基づいて、運転者の異変をセンシングする。そして、例えば、車両Ｃ１の検知部１１は、運転者の異変を検知した場合に、運転者の状態をサーバ装置１０１へ送信する（ステップＳ２１）。このとき、検知部１１は、運転者に異変が生じたことと、異変の種別とをサーバ装置１０１へ送信する。
【０１０９】
サーバ装置１０１は、図１に示すものと同様の提案部１２および道路特性判定部１３を備える。また、サーバ装置１０１は、図１に示すものと同様に地図情報２２、提案用仮説候補情報、および道路特性情報を記憶している。
【０１１０】
ただし、サーバ装置１０１が記憶している提案用仮説候補情報は、各車両Ｃ１〜Ｃｎの運転者毎の提案用仮説候補情報である。また、サーバ装置１０１が記憶している道路特性情報は、図８に示すように、基本指数の桁数だけが図５に示すものとは異なる。
【０１１１】
そして、サーバ装置１０１は、上述した運転支援装置１と同様に、運転者の異変を解消する可能性のある走行経路を車両Ｃ１の運転者へ提案する（ステップＳ２２）。その後、車両Ｃ１の検知部１１は、運転者の異変が解消するまで運転者の状態をサーバ装置１０１へ送信する。
【０１１２】
サーバ装置１０１は、走行経路を提案しても車両Ｃ１の運転者の異変が解消しない場合、運転者の異変が解消するまで、上述した運転支援装置１と同様に、別の仮説に基づいて異変を解消する他の特性の走行経路を運転者へ提案する。
【０１１３】
そして、サーバ装置１０１は、運転者の異変が解消した場合に、提案用仮説候補情報、および道路特性情報を蓄積して記憶する（ステップＳ２３）。このとき、サーバ装置１０１は、例えば、図８に示す道路特性情報の上から２番目のリンクＮｏ．が割り当てられた道路を車両Ｃ１が走行した結果、運転者の異変が解消しなかった場合、基本指数の初期値「２．０００」に「０．００１」を加算して「２．００１」に更新する。
【０１１４】
また、サーバ装置１０１は、図８に示す道路特性情報の上から３番目のリンクＮｏ．が割り当てられた道路を車両Ｃ１が走行した結果、運転者の眠気が解消した場合、基本指数の初期値「２．０００」から「０．００１」を減算して「１．９９９」に更新する。
【０１１５】
また、サーバ装置１０１は、他の車両から走行経路を提案した結果を取得した場合にも、同様に道路特性情報を更新する。これにより、道路特性情報の基本指数は、多数の運転者の経験が反映され、統計的に信頼性の高い基本指数となる。
【０１１６】
そして、サーバ装置１０１は、このような多数の運転者の経験が反映された信頼性の高い道路特性情報を他車両（例えば、車両Ｃｎ）への経路提案に使用する（ステップＳ２４）。これにより、サーバ装置１０１は、より確実に車両Ｃ１の運転者の異変を解消することができる。
【０１１７】
なお、図８に示す道路特性情報は一例である。サーバ装置１０１は、例えば、図９に示す道路特性情報を使用して各車両Ｃ１〜Ｃｎへ提案する走行経路を決定することもできる。図９に示す道路特性情報は、複数の各グループＮｏ．に、それぞれ複数のリンクＮｏ．および時間・距離が対応付けられており、各グループＮｏ．には、それぞれ一つの基本指数が対応付けられている。
【０１１８】
各グループＮｏ．は、それぞれ道路の属性を識別する識別情報である。ここでの属性は、例えば、高速道路、道幅が狭い道路、ワインディングロード、峠道等といった道路を大別した種類である。このため、グループＮｏ．が同じ複数の道路は、全て同じ属性の道路である。
【０１１９】
かかる道路特性情報では、サーバ装置１０１が、いずれかのリンクＮｏ．の道路について基本指数を更新した場合、その道路と同一のグループＮｏ．が割り当てられている他の全道路の基本指数に変更が反映される。
【０１２０】
サーバ装置１０１は、かかる道路特性情報を使用することで、運転者に提案する走行経路を検索する場合に、参照する基本指数の数を大きく低減することができるため、走行経路の検索に要する処理負荷を大幅に低減することができる。
【０１２１】
上述した実施形態では、各運転支援装置１が運転者の異変の兆候状態に基づいて新たな仮説を推定して登録用仮説候補情報２５を生成して記憶しておき、正解度が所定値に達した仮説を提案用仮説候補情報２３へ登録したが、これは一例である。
【０１２２】
登録用仮説候補情報２５の情報量が多ければ多いほど、異変を解消することができる可能性が高い新たな仮説を登録した提案用仮説候補情報２３を生成することが可能となる。このため、例えば、サーバ装置１０１が複数の車両Ｃ１〜Ｃｎから収集する情報に基づいて登録用仮説候補情報を生成してもよい。
【０１２３】
具体的には、サーバ装置１０１は、通信可能な全ての車両Ｃ１〜Ｃｎの運転支援装置１から各運転者の状態を示す情報および各車両Ｃ１〜Ｃｎが走行中の道路に関する情報を収集する。その後、サーバ装置１０１は、運転支援装置１が備える兆候状態検知部１５、仮説推定部１６、および仮説登録部１７が実行する処理と同様の処理を行うことに追よって、ビッグデータの登録用仮説候補情報を生成する。
【０１２４】
そして、サーバ装置１０１は、ビッグデータの登録用仮説候補情報に含まれる仮説のうち、正解度が所定値に達した仮説を登録した提案用仮説候補情報を生成し、各車両Ｃ１〜Ｃｎの運転支援装置１へ提供する。
【０１２５】
各運転支援装置１は、サーバ装置１０１から提供される提案用仮説候補情報における仮説の正解度を、運転者によって異なる異変の解消に有効な仮説の傾向に応じて増減させながら、異変を検知した場合に正解度が最高の仮説に基づく走行経路を提案する。これにより、各運転支援装置１は、より確実に運転者の異変を解消することができる。
【０１２６】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【０１２７】
１  運転支援装置
１０  制御部
１１  検知部
１２  提案部
１３  道路特性判定部
１４  正解度増減部
１５  兆候状態検知部
１６  仮説推定部
１７  仮説登録部
２０  記憶部
２１  異変判定項目情報
２２  地図情報
２３  提案用仮説候補情報
２５  登録用仮説候補情報
２４  道路特性情報
３１，４１  カメラ
３２，４２  サーモグラフィ
３３  操作表示部
３４  スピーカ
４３  ハンドルセンサ
１００  運転支援システム
１０１  サーバ装置
Ｖ  自車両
【図１】
2019105886.tif 000003
【図２】
2019105886.tif 000004
【図３】
2019105886.tif 000005
【図４】
2019105886.tif 000006
【図５】
2019105886.tif 000007
【図６】
2019105886.tif 000008
【図７】
2019105886.tif 000009
【図８】
2019105886.tif 000010
【図９】
2019105886.tif 000011